(57)【特許請求の範囲】
【請求項１】
照明負荷の点灯モードを切り替えるモード順送り信号を発生するモード切替用押ボタンスイッチと前記照明負荷を明るい状態へ連続的に移行させる調光明信号を発生させる調光明用押ボタンスイッチと前記照明負荷を暗い状態へ連続的に移行させる調光暗用押ボタンスイッチとを有するリモートコントローラからの各信号を受信する受信部を有し、この受信部で受信した信号の種類に従って、全点灯、段調光、消灯の各点灯モードを順次切り替える機能を有する照明器具であって、
前記モード切替用押ボタンスイッチの操作による前記リモートコントローラからのモード順送り信号の受信に応答して全点灯、段調光、消灯の各点灯モードを順次ループ状に切り替え、
前記調光明用押ボタンスイッチの操作による前記リモートコントローラからの前記調光明信号の受信に応答して現在のモードが消灯モードのときは段調光モードへ切り替え、現在のモードが段調光モードのときは全点灯モードへ切り替え、現在のモードが全点灯モードのときは全点灯モードを維持し、
前記調光暗用押ボタンスイッチの操作による前記リモートコントローラからの調光暗信号の受信に応答して現在のモードが全点灯モードのときは段調光モードへ切り替え、現在のモードが段調光モードのときは消灯モードへ切り替え、現在のモードが消灯モードのときは消灯モードを維持するようにしたことを特徴とする照明器具。
【発明の詳細な説明】
【０００１】
【産業上の利用分野】
この発明は、赤外線等を用いたリモートコントローラにより、照明の点滅・調光制御を行う照明器具に関するものである。
【０００２】
【従来の技術】
照明器具を赤外線等の無線媒体を用いて遠隔制御するときの操作方法として、例えば全点灯，段調光，全消灯といった不連続な点灯モードを一つのスイッチ（１種類の送信信号）により、１回の操作毎に順に送っていくことにより、点灯状態を切り替えていく方法が従来からある。また、連続的な調光を行えるような照明器具においては、照明を点滅させるモード切替スイッチ（主スイッチ）とともに『調光明』，『調光暗』というような２つの操作スイッチを設けることによって、照明負荷の点灯・消灯を切り替えるだけでなく、その調光状態を明るい方向あるいは暗い方向へ変化させる方法がある。
【０００３】
前者は、照明負荷の点灯モードを変化させることを目的とし、後者は明るさ（光量）を変化させることを目的としており、従来、それぞれの機能の照明器具に対して、それぞれ専用のリモートコントローラを使用している。
図３に前者の照明装置のリモートコントロールの受信側（照明器具側）の処理内容のフローチャートを示し、図４に後者の照明装置のリモートコントロールの受信側（照明器具側）の処理内容のフローチャートを示す。
【０００４】
ここで、図３および図４のフローチャートについて説明する。
まず、図３のフローチャートでは、リモートコントローラからのリモートコントロール信号（以下、リモコン信号と略す）が入力されると、そのリモコン信号がモード順送り信号であるかどうかを判定する（ステップＴ１  ）。
ステップＴ１  の判定結果がＮＯのときはそのままメイン処理へ移行する。
【０００５】
ステップＴ１  の判定結果がＹＥＳのときは、照明負荷が現在全点灯状態であるかどうかを判定する（ステップＴ２  ）。
ステップＴ２  の判定結果がＹＥＳのときは、照明負荷を段調光状態へ変化させ（ステップＴ３  ）、メイン処理へ移行する。
ステップＴ２  の判定結果がＮＯのときは、照明負荷が現在段調光状態であるかどうかを判定する（ステップＴ４  ）。
【０００６】
ステップＴ４  の判定結果がＹＥＳのときは、照明負荷を全消灯状態へ変化させ（ステップＴ５  ）、メイン処理へ移行する。
ステップＴ４  の判定結果がＮＯのときは、照明負荷を全点灯状態へ変化させ（ステップＴ６  ）、メイン処理へ移行する。
以上のような処理によって、リモートコントローラのモード切替用スイッチを操作する毎に、照明負荷は、全点灯状態→段調光状態→全消灯状態→全点灯状態のようにループ状に点灯モードを順送りしていくことになる。
【０００７】
つぎに、図４のフローチャートでは、リモートコントローラからのリモコン信号が入力されると、そのリモコン信号がモード順送り信号であるかどうかを判定する（ステップＵ１  ）。
ステップＵ１  の判定結果がＹＥＳのときは、照明負荷が現在点灯状態であるかどうかを判定する（ステップＵ２  ）。
【０００８】
ステップＵ２  の判定結果がＮＯのときは、照明負荷を点灯させ（ステップＵ３  ）、メイン処理へ移行する。
ステップＵ２  の判定結果がＹＥＳのときは、照明負荷を消灯させ（ステップＵ４  ）、メイン処理へ移行する。
ステップＵ１  の判定結果がＮＯのときは、入力されたリモコン信号が調光明信号であるかどうかを判定する（ステップＵ５  ）。
【０００９】
ステップＵ５  の判定結果がＹＥＳのときは、照明負荷が現在全点灯状態であるかどうかを判定する（ステップＵ６  ）。
ステップＵ６  の判定結果がＮＯのときは、照明負荷の調光状態を明方向に変化させ（ステップＵ７  ）、メイン処理へ移行する。
ステップＵ６  の判定結果がＹＥＳのときは、メイン処理へ移行する。
【００１０】
ステップＵ５  の判定結果がＮＯのときは、入力されたリモコン信号が調光暗信号であるかどうかを判定する（ステップＵ８  ）。
ステップＵ８  の判定結果がＹＥＳのときは、照明負荷が現在全消灯状態であるかどうかを判定する（ステップＵ９  ）。
ステップＵ９  の判定結果がＮＯのときは、照明負荷の調光状態を暗方向に変化させ（ステップＵ１０）、メイン処理へ移行する。
【００１１】
ステップＵ９  の判定結果がＹＥＳのときは、メイン処理へ移行する。
ステップＵ８  の判定結果がＮＯのときは、メイン処理へ移行する。
以上のような処理によって、リモートコントローラのモード切替スイッチを操作する毎に、照明負荷は、点灯状態と消灯状態とを交互に繰り返す。また、調光明スイッチあるいは調光暗スイッチを操作することにより、照明負荷が明るい方向あるいは暗い方向へ調光されることになる。
【００１２】
【発明が解決しようとする課題】
今、仮に前者のリモートコントローラを後者の照明器具に使用した場合、照明の点滅しか行うことができず、照明器具の機能を発揮できない。
逆に、後者のリモートコントローラを前者の照明器具に使用した場合、操作はできるものの、調光明，調光暗といったスイッチ操作に関しては機能がないため、何も動作せず、スイッチが意味のないものとなってしまう。
【００１３】
つまり、照明器具というひとつの分野のものに対して、どうしても２種類のリモートコントローラが必要となり、その使い分けが面倒であった。
この発明の目的は、上記の問題を解消するもので、不連続なモード切替のみの機能をもつ照明器具のリモートコントローラと連続調光が可能な照明器具のリモートコントローラを共通化すること、つまり連続調光が可能な照明器具用のリモートコントローラで不連続なモード切替のみの機能をもつ照明器具を制御可能とすることである。
【００１４】
【課題を解決するための手段】
上記の目的を達成するため、この発明の照明器具は、照明負荷の点灯モードを切り替えるモード順送り信号を発生するモード切替用押ボタンスイッチと照明負荷を明るい状態へ連続的に移行させる調光明信号を発生させる調光明用押ボタンスイッチと照明負荷を暗い状態へ連続的に移行させる調光暗用押ボタンスイッチとを有するリモートコントローラからの各信号を受信する受信部を有し、この受信部で受信した信号の種類に従って、全点灯、段調光、消灯の各点灯モードを順次切り替える機能を有するものである。
具体的には、モード切替用押ボタンスイッチの操作によるリモートコントローラからのモード順送り信号の受信に応答して全点灯、段調光、消灯の各点灯モードを順次ループ状に切り替える。
また、調光明用押ボタンスイッチの操作によるリモートコントローラからの調光明信号の受信に応答して現在のモードが消灯モードのときは段調光モードへ切り替え、現在のモードが段調光モードのときは全点灯モードへ切り替え、現在のモードが全点灯モードのときは全点灯モードを維持する。
さらに、調光暗用押ボタンスイッチの操作によるリモートコントローラからの調光暗信号の受信に応答して現在のモードが全点灯モードのときは段調光モードへ切り替え、現在のモードが段調光モードのときは消灯モードへ切り替え、現在のモードが消灯モードのときは消灯モードを維持する。
【００１５】
【作用】
この発明の構成によれば、連続調光が可能な照明器具の照明負荷の点滅を行うとともに照明負荷を明るい状態および暗い状態へそれぞれ連続的に変化させるためのリモートコントローラを使用することにより、不連続な全点灯、段調光、消灯の各点灯モードを順次切り替える機能を有する照明器具をコントロールすることが可能となる。つまり、モード切替用押ボタンスイッチを操作したときには、全点灯、段調光、消灯の各点灯モード点灯モードがループ状に順次切り替わり、調光明用押ボタンスイッチもしくは調光暗用押ボタンスイッチを操作したときは、点灯モードが各々一段明るいモードもしくは一段暗いモードに切り替わる。この結果、不連続なモード切替のみの機能をもつ照明器具のリモートコントローラと連続調光が可能な照明器具のリモートコントローラを共通化できる。
以下、より詳細に説明する。モード切替用押ボタンスイッチの操作によって連続調光が可能な照明器具の照明負荷の点滅を行い、調光明用押ボタンスイッチおよび調光暗用押ボタンスイッチの各々の操作によって照明負荷を明るい状態および暗い状態へそれぞれ連続的に変化させるためのリモートコントローラを使用することにより、不連続な全点灯、段調光、消灯の各点灯モードを順次切り替える機能を有する照明器具を、リモートコントローラの操作と照明器具の点灯モードの変化との間に違和感を全く生じさせることなく、コントロールすることが可能となる。
すなわち、モード切替用押ボタンスイッチを操作したときには、全点灯、段調光、消灯の各点灯モードがループ状に順次切り替わる。
また、調光明用押ボタンスイッチを操作したときには、現在のモードが消灯モードのときは段調光モードへ切り替え、現在のモードが段調光モードのときは全点灯モードへ切り替え、現在のモードが全点灯モードのときは全点灯モードを維持する。つまり、調光明用押ボタンスイッチを操作したときは、点灯モードが各々一段明るいモードに切り替わり、全点灯になるとその状態を維持する。
さらに、調光暗用押ボタンスイッチを操作したときは、現在のモードが全点灯モードのときは段調光モードへ切り替え、現在のモードが段調光モードのときは消灯モードへ切り替え、現在のモードが消灯モードのときは消灯モードを維持する。つまり、調光暗用押ボタンスイッチを操作したときは、点灯モードが各々一段暗いモードに切り替わり、全消灯になるとその状態を維持する。
以上の結果、不連続なモード切替のみの機能をもつ照明器具のリモートコントローラと連続調光が可能な照明器具のリモートコントローラを共通化でき、１種類のリモートコントローラで、連続調光が可能な照明器具と、不連続な全点灯、段調光、消灯の各点灯モードを順次切り替える機能を有する照明器具との両方を制御することができ、リモコン付照明器具の製造コストを下げることができる。
【００１６】
【実施例】
この発明の一実施例を図１および図２に基づいて説明する。この照明装置は、図１に示すように、連続調光が可能な照明器具用のリモートコントローラ４で不連続なモード切替のみの機能をもつ照明器具６を制御するものである。
照明器具６は、照明負荷の点灯モードを切り替えるモード順送り信号を発生するモード切替スイッチ１と照明負荷を明るい状態へ連続的に移行させる調光明信号を発生させる調光明スイッチ２と照明負荷を暗い状態へ連続的に移行させる調光暗スイッチ３とを有するリモートコントローラ４からの各信号を受信する受信部５を有し、この受信部５で受信した信号の種類に従って不連続な点灯モードを順次切り替える機能を有するものである。
【００１７】
そして、照明器具６は、リモートコントローラ４からのモード順送り信号の受信に応答して点灯モードを全点灯→段調光→全消灯のように順次切り替え、リモートコントローラ４からの調光明信号の受信に応答して一段明るい点灯モードへモード切替を行うとともに、リモートコントローラ４からの調光暗信号の受信に応答して一段暗い点灯モードへモード切替を行うようにしている。
【００１８】
このように構成すると、連続調光が可能な照明器具の照明負荷の点滅を行うとともに照明負荷を明るい状態および暗い状態へそれぞれ連続的に変化させるためのリモートコントローラ４を使用して、不連続な点灯モードを順次切り替える機能を有する照明器具６をコントロールすることが可能となる。この結果、不連続なモード切替のみの機能をもつ照明器具６のリモートコントローラと連続調光が可能な照明器具のリモートコントローラ４を共通化できる。
【００１９】
以下、図２を参照しながら詳細に説明する。
図２は、段調光の機能を有する照明器具におけるリモコン信号入力時の処理のフローチャートを示したものである。
図２のフローチャートでは、リモートコントローラからのリモコン信号が入力されると、そのリモコン信号がモード順送り信号であるかどうかを判定する（ステップＳ１  ）。
【００２０】
ステップＳ１  の判定結果がＹＥＳのときは、照明負荷が現在全点灯状態であるかどうかを判定する（ステップＳ２  ）。
ステップＳ２  の判定結果がＹＥＳのときは、照明負荷を段調光状態へ変化させ（ステップＳ３  ）、メイン処理へ移行する。
ステップＳ２  の判定結果がＮＯのときは、照明負荷が現在段調光状態であるかどうかを判定する（ステップＳ４  ）。
【００２１】
ステップＳ４  の判定結果がＹＥＳのときは、照明負荷を全消灯状態へ変化させ（ステップＳ５  ）、メイン処理へ移行する。
ステップＳ４  の判定結果がＮＯのときは、照明負荷を全点灯状態へ変化させ（ステップＳ６  ）、メイン処理へ移行する。
ステップＳ１  の判定結果がＮＯのときは、入力されたリモコン信号が調光明信号であるかどうかを判定する（ステップＳ７  ）。
【００２２】
ステップＳ７  の判定結果がＹＥＳのときは、照明負荷が現在全点灯状態であるかどうかを判定する（ステップＳ８  ）。
ステップＳ８  の判定結果がＮＯのときは、照明負荷が現在段調光状態であるかどうかを判定する（ステップＳ９  ）。
ステップＳ９  の判定結果がＹＥＳのときは、照明負荷を全点灯状態へ変化させ（ステップＳ１０）、メイン処理へ移行する。
【００２３】
ステップＳ９  の判定結果がＮＯのときは、照明負荷を段調光状態へ変化させ（ステップＳ１１）、メイン処理へ移行する。
ステップＳ８  の判定結果がＹＥＳのときは、メイン処理へ移行する。
ステップＳ７  の判定結果がＮＯのときは、入力されたリモコン信号が調光暗信号であるかどうかを判定する（ステップＳ１２）。
【００２４】
ステップＳ１２の判定結果がＹＥＳのときは、照明負荷が現在全点灯状態であるかどうかを判定する（ステップＳ１３）。
ステップＳ１３の判定結果がＹＥＳのときは、照明負荷を段調光状態へ変化させ（ステップＳ１４）、メイン処理へ移行する。
ステップＳ１３の判定結果がＮＯのときは、照明負荷が現在段調光状態であるかどうかを判定する（ステップＳ１５）。
【００２５】
ステップＳ１５の判定結果がＹＥＳのときは、照明負荷を全消灯状態へ変化させ（ステップＳ１６）、メイン処理へ移行する。
ステップＳ１５の判定結果がＮＯのときは、メイン処理へ移行する。
ステップＳ１２の判定結果がＮＯのときは、メイン処理へ移行する。
以上のような処理によって、リモートコントローラ４のモード切替スイッチ１を操作する毎に全点灯→段調光→全消灯→全点灯のようにループ状に点灯モード繰り返し変化させることになる。また、調光明スイッチ２を操作することにより、現在より明るい状態に点灯モードが変化し、調光暗スイッチ３を操作することにより、現在より暗い状態に点灯モードが変化することになる。
【００２６】
つまり、リモートコントローラ４からリモコン信号が入力された時に、そのリモコン信号がモード順送り信号であれば、従来通り、全点灯であれば段調光に、段調光であれば全消灯に、全消灯であれば全点灯にと点灯モードを変化させる。
一方、入力されたリモコン信号が調光明信号であった場合は、全点灯時はそれ以上明るい状態がないので、点灯モードは変化させない。段調光時および全消灯時には、それぞれ一段明るいモード、すなわち全点灯および段調光の状態にそれぞれモードを変化する。
【００２７】
同様に、入力されたリモートコントローラ信号が調光暗信号であった場合は、全消灯時は、モード変化を行わない。全点灯時および段調光時には、それぞれ一段暗いモード、すなわち段調光，全消灯の状態にそれぞれモードを変化する。
このように、モード切替のみ機能を有する照明器具に対して、連続調光機能用のリモートコントローラ４から調光明信号を送信したときは現在のモードよりも一段明るいモードヘ、調光暗信号を送信したときは現在のモードよりも一段暗いモードへ変化させることにより、連続調光用リモートコントローラをモード切替機能の照明器具に適用することが可能となる。
【００２８】
【発明の効果】
この発明によれば、連続調光が可能な照明器具の照明負荷の点滅を行うとともに照明負荷を明るい状態および暗い状態へそれぞれ連続的に変化させるためのリモートコントローラを使用して、不連続な点灯モードを順次切り替える機能を有する照明器具をコントロールすることが可能となり、不連続なモード切替のみの機能をもつ照明器具のリモートコントローラと連続調光が可能な照明器具のリモートコントローラを共通化できる。
さらに、不連続なモード切替のみの機能をもつ照明器具のリモートコントローラと連続調光が可能な照明器具のリモートコントローラを共通化できることから、１種類のリモートコントローラで、連続調光が可能な照明器具と、不連続な全点灯、段調光、消灯の各点灯モードを順次切り替える機能を有する照明器具との両方を制御することができ、リモコン付照明器具の製造コストを下げることができる。
【図面の簡単な説明】
【図１】この発明の一実施例の照明装置の構成を示す概略図である。
【図２】図１の照明装置のリモートコントロール受信部の処理内容を示すフローチャートである。
【図３】従来の段調光型の照明装置のリモートコントロール受信部の処理内容の一例を示すフローチャートである。
【図４】従来の連続調光型の照明装置のリモートコントロール受信部の処理内容の一例を示すフローチャートである。
【符号の説明】
１    モード切替スイッチ
２    調光明スイッチ
３    調光暗スイッチ
４    リモートコントローラ
５    受信部
６    照明器具
【図１】
0003621430.tif 000002
【図２】
0003621430.tif 000003
【図３】
0003621430.tif 000004
【図４】
0003621430.tif 000005